(57)【要約】【課題】必要なダクトの数および開口用部材の数を削減し、部品点数およびコスト低減を可能であるとともに、必要な配管スペースを削減してスペース効率の向上が可能な空調システムを提供する。【解決手段】建物Ｈの内部に空調装置５０の室内機５１および熱交換換気扇６０を設置するためのシステム設置用空間としての小屋裏収納空間３１が設けられ、室内機５１に接続されるとともに、建物Ｈの内部に配索されて、室内機５１で温調した温調空気を建物Ｈの内部の屋内空間ＩＳに吹き出す吹出ダクト５３０，５４０，５５０が接続され、熱交換換気扇６０は、建物Ｈの外部から吸い込んだ外気を屋内空間ＩＳに吹き出す屋内給気ダクト６４０を備え、屋内給気ダクト６４０（各給気ダクト６４１，６４２，６４３）が吹出ダクト５３０，５４０，５５０に接続されている空調システムとした。【選択図】図１
2019203649.tif 000002
【特許請求の範囲】
【請求項１】
建物の内部に空調装置および熱交換換気装置を設置するためのシステム設置用空間が設けられ、
前記空調装置に接続されるとともに、前記建物の内部に配索されて、前記空調装置で温調した温調空気を前記建物の内部の屋内空間に吹き出す吹出ダクトが接続され、
前記熱交換換気装置は、前記建物の外部から吸い込んだ外気を前記屋内空間に吹き出す屋内給気ダクトを備え、前記屋内給気ダクトが前記吹出ダクトに接続されている空調システム。
【請求項２】
請求項１に記載の空調システムにおいて、
前記屋内給気ダクトの前記吹出ダクトとの接続は、前記システム設置用空間内で成されている空調システム。
【請求項３】
請求項１または請求項２に記載の空調システムにおいて、
前記吹出ダクトは、前記建物の複数の異なる温調領域に送風可能に複数系統配索され、
前記屋内給気ダクトは、前記複数の各系統の前記吹出ダクトに接続されている空調システム。
【請求項４】
請求項１〜請求項３のいずれか１項に記載の空調システムにおいて、
前記空調装置と前記熱交換換気装置とは、前記システム設置用空間に設けられた支持部材により、上下に重ね積みされている空調システム。
【請求項５】
請求項１〜請求項４のいずれか１項に記載の空調システムにおいて、
前記システム設置用空間は、前記建物の小屋裏空間に設けられた小屋裏収納空間である空調システム。
【請求項６】
請求項１〜請求項５のいずれか１項に記載の空調システムにおいて、
前記建物は、複数階建であり、
前記吹出ダクトは、少なくとも複数階の１つの階の前記屋内空間を上下方向に縦断して配索されている空調システム。
【発明の詳細な説明】
【技術分野】
【０００１】
本発明は、空調システムに関する。
【背景技術】
【０００２】
従来、住宅の空調および換気を行う空調システムが知られている（例えば、特許文献１参照）。
この従来の空調システムは、小屋裏収納空間内に、冷暖房機能を有する空調装置（エアコンディショナ）が設置され、小屋裏収納空間の外側の小屋裏空間内には、熱交換換気扇が設置されている。
【０００３】
そして、空調装置は、小屋裏収納空間の空気を吸い込み、温調した空気を、ダクトを介して、２階の各部屋の天井および１階の各部屋の天井から吹き出す。
また、熱交換換気扇は、１階の天井および２階の天井に一端が開口された室内排気ダクトから吸い込んだ室内空気を屋外排気ダクトを介して屋外に排出する。さらに、熱交換換気扇は、屋外給気ダクトを介して屋外から吸い込んだ給気を、排気と熱交換した上で、屋内給気ダクトを介して、２階の各部屋の天井および１階の各部屋の天井から各部屋に吹き出すようになっている。
【先行技術文献】
【特許文献】
【０００４】
【特許文献１】特許第６０１８９２４号公報
【発明の概要】
【発明が解決しようとする課題】
【０００５】
しかしながら、上述の従来の空調システムでは、空調装置と熱交換換気扇とが、それぞれ独立して室内空気の吸い込み、室内への吹き出しを行っている。
このため、空調装置と熱交換換気扇とが、多数のダクトに接続されており、必要なダクトの数が多くなりコストアップを招くとともに、住宅内にダクトを配管するために必要な配管スペースが大きくなり、住宅のスペース効率の悪化を招く。加えて、各ダクトは、天井などの室内に開口を有し、この開口を覆ったり、風向を調節したりするグリルなどの開口用部材が設けられており、その分、部品点数増およびコストアップを招く。
【０００６】
本開示は、上記課題に着目してなされたもので、必要なダクトの数および開口用部材の数を削減し、部品点数およびコスト低減を可能であるとともに、必要な配管スペースを削減してスペース効率の向上が可能な空調システムを提供することを目的とする。
【課題を解決するための手段】
【０００７】
本開示の空調システムは、
建物の内部に空調装置および熱交換換気装置を設置するためのシステム設置用空間が設けられ、
前記空調装置に接続されるとともに、前記建物の内部に配索されて、前記空調装置で温調した温調空気を前記建物の内部の屋内空間に吹き出す吹出ダクトが接続され、
前記熱交換換気装置は、前記建物の外部から吸い込んだ外気を前記屋内空間に吹き出す屋内給気ダクトを備え、前記屋内給気ダクトが前記吹出ダクトに接続されている空調システムとした。
【発明の効果】
【０００８】
本開示の空調システムは、必要なダクトの数および開口用部材の数を削減し、部品点数およびコスト低減を可能であるとともに、必要な配管スペースを削減してスペース効率の向上が可能である。
【図面の簡単な説明】
【０００９】
【図１】実施の形態の空調システムの概略を示すシステム概略図である。
【図２Ａ】実施の形態の空調システムの１階部分のダクト配索状態を示す平面図である。
【図２Ｂ】実施の形態の空調システムの２階部分のダクト配索状態を示す平面図である。
【図３】実施の形態の空調システムにおける室内機（空調装置）と熱交換換気装置の設置状態を示す正面図である。
【図４】実施の形態の空調システムにおけるダクトの接続状態を示す回路図である。
【発明を実施するための形態】
【００１０】
以下、本開示の空調システムの実施形態について説明する。
（建物の構成）
まず、図１に基づいて、この実施の形態の空調システムが設置された建物Ｈの構成を説明する。なお、図１は、実施の形態の空調システムの概略を示すシステム概略図である。
【００１１】
建物Ｈは、屋内空間ＩＳとして、１階空間１０と２階空間２０と小屋裏空間３０とを備える。
そして、１階空間１０は、部屋１１，１２、１３とホール１４を備える。また、２階空間２０は、部屋２１，２２，２３と、ホール２４と、ダクトスペース２５とを備える。
【００１２】
さらに、建物Ｈは、２階空間２０の天井の上に小屋裏空間３０を備え、この小屋裏空間３０には、断熱材４１により囲まれた小屋裏収納空間３１を有する。また、１階の床１５の下面にも断熱材４２が設けられている。なお、建物Ｈの外壁ＨＷにも断熱材を設けてもよい。
【００１３】
次に、１階空間１０および２階空間２０の構成について簡単に説明する。
図２Ａは、建物Ｈの１階空間１０の平面図であり、１階空間１０の各部屋１１〜１３の配置の一例を示している。
図２Ａに示すように、部屋１１はリビングダイニング、部屋１２は和室、部屋１３は洗面室である。また、ホール１４は、階段および廊下のスペースである。
【００１４】
図２Ｂは、建物Ｈの２階空間２０の平面図であり、２階空間２０の各部屋２１〜２３の配置の一例を示している。
図２Ｂに示すように、部屋２１は主寝室、部屋２２，２３は子供部屋である。また、２階空間２０は、予備室としての部屋２６を備え、ダクトスペース２５は、この部屋２６の角部に設けられている。
【００１５】
（空調対象領域）
次に、１階空間１０と２階空間２０とにおける空調の対象となる空調対象領域について説明する。
１階空間１０および２階空間２０は、空調装置５０から温調空気が供給されて室温調節が行われる。両空間１０，２０において、室温調節が行われる領域をそれぞれ１階空調対象領域１００および２階空調対象領域２００とし、一方、このような室温調節が行われない領域を１階非空調対象領域３００および２階非空調対象領域４００とする（図２Ａ、図２Ｂ参照）。
【００１６】
１階空調対象領域１００は、図２Ａに示すように、部屋１２および部屋１３から成る１階第１空調ゾーン１Ａと、部屋１１から成る１階第２空調ゾーン１Ｂとに分けられている。そして、１階第１空調ゾーン１Ａと１階第２空調ゾーン１Ｂとは、独立して室温調節が行われる。なお、１階非空調対象領域３００は、部屋１１〜１３以外のホール１４を含む領域である。
【００１７】
２階空調対象領域２００は、図２Ｂに示すように、部屋２１、部屋２２、部屋２３が含まれる。一方、これらの部屋２１〜２３以外のホール２４、ダクトスペース２５、部屋２６を含む領域は、２階非空調対象領域４００である。なお、２階空調対象領域２００の各部屋２１，２２，２３は、共通して室温調節が行われ、かつ、１階空調対象領域１００とは独立して室温調節が行われる。
【００１８】
（空調装置および熱交換換気扇）
次に、空調装置５０および熱交換換気扇６０について説明する。
空調装置５０は、図１に示すように、室内機５１と室外機５２とを備え、冷暖房を行うる周知のものである。すなわち、室内機５１と室外機５２とは、それぞれ、熱交換器５１ａ（室内機５１の熱交換器５１ａのみ図４に示す）を有し、両者間で熱交換媒体を循環させる。そして、室内機５１の熱交換器５１ａでは、熱交換媒体と内部空間の空気と熱交換を行い、室外機５２の熱交換器（不図示）では、熱交換媒体と外気とで熱交換を行う。
【００１９】
また、上述のように、空調装置５０は、１階第１空調ゾーン１Ａ、１階第２空調ゾーン１Ｂ、２階空調対象領域２００の３つの領域を独立して温度調節を行う。そこで、室内機５１は、図４に示すように、後述する３本の吹出ダクト５３０，５４０，５５０に接続されているとともに、各吹出ダクト５３０，５４０，５５０の送風量を独立して変更可能に３つの送風ファン５１ｂ，５１ｂ，５１ｂを有する。つまり、室内機５１から１階第１空調ゾーン１Ａ、１階第２空調ゾーン１Ｂ、２階空調対象領域２００への送風量、すなわち、供給熱量を独立して調整することで、これら３つの領域（１Ａ，１Ｂ，２００）の室温を独立して制御することができる。
【００２０】
熱交換換気扇６０は、建物Ｈの屋内空間ＩＳの換気、すなわち、屋内空間ＩＳの空気と外気とを入れ替える換気を行い、さらに、換気の際に、排気と給気とで熱交換を行う周知のものである。
室内機５１と熱交換換気扇６０とは、小屋裏収納空間３１に設置されている。さらに、この設置に際し、室内機５１と熱交換換気扇６０とは、図３に示すように、機器設置用ラック７０に上下に積み重ねて設置されている。
【００２１】
ここで、機器設置用ラック７０について説明すると、機器設置用ラック７０は、２つのラック構造体７１を上下に積み重ねて形成されている。各ラック構造体７１は、平面形状が矩形の板状の基台７１ａと、基台７１ａの四隅から立ち上げられた４本の脚７１ｂとを備える。そして、１段目のラック構造体７１の基台７１ａの脚７１ｂの上端により、２段目のラック構造体７１の基台７１ａの下面を支持して、ラック構造体７１を上下２段に重ねている。なお、必要に応じ、さらに、ラック構造体７１を上側に重ねることができる。
そして、下から１段目のラック構造体７１の基台７１ａの上に室内機５１が設置され、下から２段目のラック構造体７１の基台７１ａに熱交換換気扇６０が設置されている。
【００２２】
（ダクト構造）
次に、室内機５１に接続されたダクト５００および熱交換換気扇６０に接続されたダクト６００について説明する。
室内機５１には、１階空間１０のホール１４および２階空間２０のホール２４から空気を吸い込み、１階空調対象領域１００と２階空調対象領域２００とに吹き出すようにダクト５００が接続されている。
この室内機５１に接続されたダクト５００として、図４に示すように、２系統の吸入ダクト５１０，５２０と、３系統の吹出ダクト５３０，５４０，５５０と、を備える。
【００２３】
以下に、各ダクト５１０〜５５０について詳細に説明する。
第１の吸入ダクト５１０は、２本のダクト５１１，５１１を備える。そして、これらのダクト５１１は、図１、図２Ａに示すように、小屋裏収納空間３１からダクトスペース２５を通って配索されて、１階のホール１４の壁１４ｗに吸込口５１１ａが開口されている。
【００２４】
図４に戻り、第２の吸入ダクト５２０は、２本のダクト５２１，５２１を備える。これら２本のダクト５２１，５２１は、図１に示すように、２階のホール２４の天井２４ｃに吸込口５２１ａが開口されている。また、吸込口５２１ａは、水平方向では、図２Ｂに示すように、ホール２４の中央部に配置されている。
【００２５】
以上のように、室内機５１は、それぞれ１階非空調対象領域３００、２階非空調対象領域４００に含まれる１階のホール１４および２階のホール２４から、第１、第２の吸入ダクト５１０，５２０を介して、空気を吸入する。
【００２６】
次に、３系統の吹出ダクト５３０，５４０，５５０について説明する。
吹出ダクト５３０は、図１に示すように、ダクト５３１とダクト５３２とに２系統に分岐されて１階第１空調ゾーン１Ａに含まれる部屋１２の天井１２ｃと部屋１３の天井１３ｃに吹出口５３１ａ，５３２ａが開口されている。
【００２７】
図２Ｂ、図４に示すように、ダクト５３１は、２本並設されており、小屋裏収納空間３１から２階の壁２１ｗａの内部を下方に配索されている。そして、ダクト５３１は、図１に示すように、１階の天井裏空間１６を通り、部屋１２の天井１２ｃに吹出口５３１ａが開口されている。
【００２８】
一方、ダクト５３２，５３２は、室内機５１から部屋１３の天井１３ｃに配索されている。詳細には、ダクト５３２は、図２Ｂに示すように、小屋裏収納空間３１からダクトスペース２５を通って、図１に示すように、１階の天井裏空間１６を通り、部屋１３の天井１３ｃに吹出口５３２ａが開口されている。
【００２９】
吹出ダクト５４０は、室内機５１から、１階第２空調ゾーン１Ｂに含まれる部屋１１の天井１１ｃに配索されている。詳細には、吹出ダクト５４０は、図４に示すように、３本のダクト５４１，５４２，５４２に分岐されている。ダクト５４１は、図２Ｂに示すように、小屋裏収納空間３１から２階の壁２１ｗｂの内部を通り、図２Ａに示すように、部屋１１の天井１１ｃに吹出口５４１ａが開口されている。
一方、２本のダクト５４２，５４２は、図２Ｂに示すように、小屋裏収納空間３１から２階の壁２１ｗａの内部を通りって配索されている。そして、ダクト５４２，５４２は、部屋１１の天井１１ｃにおいて、図２Ａに示す位置で吹出口５４２ａ，５４２ａが開口されている。
【００３０】
吹出ダクト５５０は、図４に示すように、４本のダクト５５１，５５１，５５２，５５３に分岐されている。
そして、図２Ｂに示すように、２本のダクト５５１，５５１は、小屋裏収納空間３１を含み小屋裏空間３０を通り、部屋２１の天井２１ｃ（図１参照）に吹出口５５１ａが開口されている。ダクト５５２は、小屋裏収納空間３１を通り、部屋２２の天井２２ｃ（図１参照）に吹出口５５２ａが開口されている。ダクト５５３は、小屋裏収納空間３１を通り、部屋２３の天井２３ｃ（図１参照）に吹出口５５３ａが開口されている。
【００３１】
次に、熱交換換気扇６０に接続されたダクト６００について説明する。
熱交換換気扇６０に接続されたダクト６００として、図４に示すように、室内排気ダクト６１０、屋外排気ダクト６２０、屋外給気ダクト６３０、屋内給気ダクト６４０を備える。
【００３２】
室内排気ダクト６１０は、建物Ｈの屋内空間ＩＳの空気を熱交換換気扇６０まで吸い込むもので、１階用排気ダクト６１１と２階用排気ダクト６１２を備える。
１階用排気ダクト６１１は、図１に示すように、一端が部屋１３の天井１３ｃに排気口６１１ａが開口され、天井裏空間１６からダクトスペース２５を通り、熱交換換気扇６０に接続されている（図２Ｂ参照）。なお、熱交換換気扇６０は、前述したように、室内機５１の上に積み重ねられているが、図２Ｂでは、図面表記上、室内機５１に対して水平方向に位置をずらして表記している。
２階用排気ダクト６１２は、図１に示すように、ホール２４の天井２４ｃに排気口６１２ａが開口され、小屋裏収納空間３１を通り熱交換換気扇６０に接続されている。
【００３３】
屋外排気ダクト６２０は、熱交換換気扇６０で熱交換を行った後の排気を、建物Ｈの外部に排出するもので、図１および図２Ｂに示すように、熱交換換気扇６０から建物Ｈの外部に向かって延在され、外壁ＨＷに排気口６２０ａが開口されている。
したがって、熱交換換気扇６０は、１階の部屋１３（洗面室）と２階のホール２４の空気を吸い込んで屋外に排気する。
【００３４】
屋外給気ダクト６３０は、屋外の空気を屋内空間ＩＳに取り入れるもので、図２Ｂに示すように、外壁ＨＷに給気口６３０ａが開口され、途中に、換気用フィルタボックス６３１を介在させて、熱交換換気扇６０に接続されている。
【００３５】
屋内給気ダクト６４０は、熱交換換気扇６０において排気と熱交換を行った給気を、１階空調対象領域１００（１階第１空調ゾーン１Ａ、１階第２空調ゾーン１Ｂ）と２階空調対象領域２００とに供給する。
【００３６】
そこで、屋内給気ダクト６４０は、図４に示すように、分岐材６４４を介して、第１給気ダクト６４１、第２給気ダクト６４２、第３給気ダクト６４３の３系統に分岐されている。そして、第１給気ダクト６４１が、吹出ダクト５３０に接続され、第２給気ダクト６４２が吹出ダクト５４０に接続され、第３給気ダクト６４３が吹出ダクト５５０に接続されている。
【００３７】
なお、これらの第１給気ダクト６４１、第２給気ダクト６４２、第３給気ダクト６４３と、吹出ダクト５３０、吹出ダクト５４０、吹出ダクト５５０との接続は、図２Ｂに示すように、小屋裏収納空間３１内で行われている。
【００３８】
（実施の形態の作用）
以下に、実施の形態の作用を説明する。
空調装置５０では、室内機５１から、１階第１空調ゾーン１Ａ、１階第２空調ゾーン１Ｂ、２階空調対象領域２００の３つの領域で独立した温調空気を供給する。
したがって、建物Ｈにおいて、１台の室内機５１により全館の室温調節が可能である。
また、熱交換換気扇６０により換気を行う際には、屋内空間ＩＳの空気は、１階空間１０と２階空間２０との両方の空気を排気として吸い込む。このとき、１階空間１０では、部屋（洗面室）１３の天井１３ｃの排気口６１１ａから排気を吸い込み、２階空間２０では、ホール２４の天井２４ｃの排気口６１２ａから排気を吸い込む。
そして、熱交換換気扇６０に吸い込んだ排気は、熱交換換気扇６０内で、給気と熱交換を行った後、屋外排気ダクト６２０から建物Ｈの外部に排出する。
【００３９】
一方、熱交換換気扇６０が、屋外給気ダクト６３０を介して建物Ｈの外部から吸い込んだ給気は、熱交換換気扇６０内で、排気と熱交換を行って、屋内空間ＩＳの温度に近付けた後、屋内空間ＩＳに給気する。この給気の際に、熱交換換気扇６０からの給気は、室内機５１から温調空気の送風に使用する吹出ダクト５３０、吹出ダクト５４０、吹出ダクト５５０を介して、１階空調対象領域１００（１階第１空調ゾーン１Ａ、１階第２空調ゾーン１Ｂ）、２階空調対象領域２００に供給する。
【００４０】
そして、給気を、それぞれ、吹出ダクト５３０、吹出ダクト５４０、吹出ダクト５５０に供給するため、全館（１階第１空調ゾーン１Ａ、１階第２空調ゾーン１Ｂ、２階空調対象領域２００）の換気を行うことができる。
【００４１】
（実施の形態の効果）
以下に、実施の形態の空調システムの効果を列挙する。
(1)実施の形態の空調システムは、
建物Ｈの内部に空調装置５０の室内機５１および熱交換換気扇６０を設置するためのシステム設置用空間としての小屋裏収納空間３１が設けられ、
室内機５１に接続されるとともに、建物Ｈの内部に配索されて、室内機５１で温調した温調空気を建物Ｈの内部の屋内空間ＩＳに吹き出す吹出ダクト５３０，５４０，５５０が接続され、
熱交換換気扇６０は、建物Ｈの外部から吸い込んだ外気を屋内空間ＩＳに吹き出す屋内給気ダクト６４０を備え、屋内給気ダクト６４０（第１〜第３給気ダクト６４１，６４２，６４３）が吹出ダクト５３０，５４０，５５０に接続されている。
したがって、熱交換換気扇６０から屋内空間ＩＳへの給気を、室内機５１の吹出ダクト５３０，５４０，５５０を共用して行うことができる。よって、屋内給気ダクト６４０（第１〜第３給気ダクト６４１，６４２，６４３）は、吹出ダクト５３０，５４０，５５０に接続するまでのみ配索すればよく、必要なダクトの数、ダクト長およびグリルなどの開口用部材の数を削減できる。これにより、部品点数およびコスト低減を可能であるとともに、必要な配管スペースを削減してスペース効率の向上が可能である。
また、吹出ダクト５３０，５４０，５５０を利用して換気するにあたり、熱交換換気扇６０は、排気との熱交換を行って給気を行うため、外気をそのまま給気を行うものと比較して、温調空気に与える影響を抑えることができる。
【００４２】
(2)実施の形態の空調システムは、
屋内給気ダクト６４０（第１〜第３給気ダクト６４１，６４２，６４３）の吹出ダクト５３０，５４０，５５０との接続は、室内機５１および熱交換換気扇６０が設置された小屋裏収納空間３１内で成されている。
よって、屋内給気ダクト６４０（第１〜第３給気ダクト６４１，６４２，６４３）と吹出ダクト５３０，５４０，５５０との接続を、小屋裏収納空間３１の外部で行うのと比較して、屋内給気ダクト６４０の長さを短くすることができる。これにより、よりいっそうコスト低減および必要な配管スペースの削減を図ることができる。
【００４３】
(3)実施の形態の空調システムは、
吹出ダクト５３０，５４０，５５０は、建物Ｈの複数の異なる温調領域としての１階第１空調ゾーン１Ａ、１階第２空調ゾーン１Ｂ、２階空調対象領域２００に送風可能に複数系統配索され、
屋内給気ダクト６４０（第１〜第３給気ダクト６４１，６４２，６４３）は、複数の各系統の吹出ダクト５３０，５４０，５５０に接続されている。
したがって、屋内空間ＩＳの複数の温調領域（１階第１空調ゾーン１Ａ、１階第２空調ゾーン１Ｂ、２階空調対象領域２００）の換気が可能となり、効率的な換気が可能となる。
【００４４】
(4)実施の形態の空調システムは、
室内機５１と熱交換換気扇６０とは、小屋裏収納空間３１に設けられた支持部材としての機器設置用ラック７０により、上下に重ね積みされている。
したがって、水平方向に狭い空間である小屋裏収納空間３１において、室内機５１と熱交換換気扇６０とを水平方向に並設した場合と比較して、機器の設置スペースの省スペース化を図ることができる。
特に、熱交換換気扇６０の複数の第１〜第３給気ダクト６４１、６４２、６４３を、各吹出ダクト５３０、５４０、５５０に接続する構造では、第１〜第３給気ダクト６４１、６４２、６４３の配管距離を短くすることができる。これによっても配管スペースの省スペース化を図ることができる。
【００４５】
(5)実施の形態の空調システムは、
室内機５１および熱交換換気扇６０を設置するシステム設置用空間は、建物Ｈの小屋裏空間３０に設けられた小屋裏収納空間３１である。
したがって、室内機５１および熱交換換気扇６０を、例えば、床下や屋外に設置した場合と比較して、吹出ダクト５３０、５４０、５５０の吹出口を、天井や壁の上部に設けた場合の、吹出ダクト５３０、５４０、５５０の配索距離を短くすることが可能である。特に、２階の天井部分の吹出口までの配索距離を短くできる。
【００４６】
(6)実施の形態の空調システムは、
吹出ダクト５３０、５４０、５５０は、少なくとも複数階の１つの階の屋内空間である２階空間２０を上下方向に縦断して配索されている。すなわち、吹出ダクト５３０，５４０は、小屋裏収納空間３１から２階空間２０を上下方向に縦断して１階の天井１１ｃ、１２ｃ、１３ｃまで配索されている。
このように、１つの階の屋内空間である２階空間２０を上下に縦断して配索する場合、屋内給気ダクト６４０（第１、第２給気ダクト６４１，６４２）により小屋裏収納空間３１から１階の天井１１ｃ、１２ｃ、１３ｃまで配索すると、必要なダクト長が長くなる。このような必要なダクト長が長い屋内給気ダクト６４０（第１、第２給気ダクト６４１，６４２）を、上記(1)のように短縮することができる。
【００４７】
なお、例えば、室内機５１および熱交換換気扇６０を、床下に設置した場合は、屋内給気ダクトは、１階の天井および２階の天井まで配索すると、その全ての必要な長さが長くなる。すなわち、屋内給気ダクトを、１階空間１０を上下に縦断して、１階の天井まで配索し、さらに、２階空間２０を上下に縦断して２階の天井まで配索する必要がある。この配索を、吹出ダクトを利用することで大幅に短縮することができる。
【００４８】
以上、図面を参照して本発明の実施の形態を説明したが、具体的な構成はこの実施の形態に限らず、本発明の要旨を逸脱しない程度の設計変更事項は本発明に含まれるものである。
実施の形態では、システム設置用空間として、小屋裏収納空間を示したが、これに限定されるものではない。例えば、床下空間や、建物内の他の空間をシステム設置用空間として用いることができる。また、小屋裏空間をシステム設置用空間としてもよい。この場合、図２Ｂに示したように、小屋裏収納空間の内外の小屋裏空間をシステム設置用空間として用いてもよい。
また、実施の形態では、屋内給気ダクトと吹出ダクトとの接続を、システム設置用空間内で行った例を示したが、これに限定されるものではない。つまり、屋内給気ダクトと吹出ダクトとを接続して、吹出ダクトを利用して換気を行うものであれば、接続箇所から先の配索分の屋内給気ダクトを廃止できるもので、その接続は、システム設置用空間の外部で行ってもよい。
【００４９】
また、実施の形態では、屋内給気ダクトは、複数の温調領域（１階第１空調ゾーン１Ａ，１階第２空調ゾーン１Ｂ、２階空調対象領域２００）に接続された吹出ダクト５３０，５４０，５５０の全てに接続した例を示したが、これに限定されない。すなわち、これらの少なくとも１系統に接続されていれば、屋内空間ＩＳの換気を行うことは可能である。
【００５０】
また、実施の形態では、建物として、複数階の建物Ｈを示したが、単層の建物にも適用することができる。
また、空調装置として、冷暖房を行うものを示したが、これに限定されず、冷房、暖房のいずれかのみを行うものの吹出ダクトを利用するようにしてもよい。さらに、空調装置として、室温を送風量により調節するものを示したが、これに限定されず、熱交換の制御により送風温度そのものを制御して送風の吹出音とを調節して室温を制御するものを用いてもよい。
【００５１】
また、実施の形態では、空調装置（室内機５１）と熱交換換気扇６０とを、支持部材としての機器設置用ラック７０に上下に重ね積みした例を示したが、これに限定されず、水平方向に並設してもよい。
【００５２】
また、実施の形態では、吹出ダクト５３０，５４０が、１つの階の屋内空間である２階空間２０を上下に縦断して配索した例を示したが、これに限定されず、１つの階の屋内空間を上下に縦断しないものにも適用できる。例えば、建物が１階建てで、その小屋裏空間をシステム設置用空間とした場合には、吹出ダクトは、１つの階の屋内空間を上下に縦断することは無い。一方、このような１階建の建物でも、床下をシステム設置用空間とした場合には、吹出ダクトは、１階の屋内空間を上下に縦断することになる。
【符号の説明】
【００５３】
１Ａ   １階第１空調ゾーン
１Ｂ   １階第２空調ゾーン
１０   １階空間
２０   ２階空間
３０   小屋裏空間
３１   小屋裏収納空間（システム設置用空間）
５０   空調装置
５１   室内機
６０   熱交換換気扇（熱交換換気装置）
７０   機器設置用ラック（支持部材）
１００ １階空調対象領域
２００ ２階空調対象領域
５３０ 吹出ダクト
５４０ 吹出ダクト
５５０ 吹出ダクト
６４１ 第１給気ダクト
６４２ 第２給気ダクト
６４３ 第３給気ダクト
Ｈ     建物
ＩＳ   屋内空間
【図１】
2019203649.tif 000003
【図２Ａ】
2019203649.tif 000004
【図２Ｂ】
2019203649.tif 000005
【図３】
2019203649.tif 000006
【図４】
2019203649.tif 000007